(57)【要約】  本発明は複数の印刷装置を有する枚葉紙印刷機の運転方法に関し、各印刷装置は圧胴と圧胴に接触転動する転写胴と転写胴に接触転動する版胴とインキ装置と湿し装置とを有し、紙印刷機は主駆動装置を有し、連続印刷運転時に各印刷装置の圧胴と転写胴と版胴とは主駆動装置で駆動され、主駆動装置は主駆動軸を経て圧胴の駆動歯車に駆動力を伝達し、転写胴は圧胴によって転写胴の駆動歯車を経て駆動され、版胴は転写胴によって版胴の駆動歯車を経て駆動される。印刷装置の版胴で印刷プレート交換が行われ、同一の印刷装置の転写胴で同時に洗浄工程が行われる時、版胴は印刷プレート交換のために主駆動装置を経て駆動され、転写胴は洗浄工程のために転写胴の駆動歯車に配されたクラッチを経て主駆動装置との連結を解除され、転写胴における補助駆動装置を介して駆動される。
2012510382.tif 000002
【特許請求の範囲】
【請求項１】
複数の印刷装置を有して成る枚葉紙印刷機を運転するための方法であって、個々の印刷装置は圧胴と、当該圧胴に接しながら転動する転写胴と、当該転写胴に接しながら転動する版胴と、インキ装置と、好適に湿し装置とを有しており、前記枚葉紙印刷機は少なくとも一つの主駆動装置を有しており、当該枚葉紙印刷機が連続印刷運転されるとき、前記印刷装置の各印刷装置の前記圧胴と、前記転写胴と、前記版胴とは、前記単独の主駆動装置または個々の主駆動装置によって駆動され、それによって、前記単独の主駆動装置または個々の主駆動装置は対応する主駆動軸を介して、個々の印刷装置の前記圧胴に配設されている駆動歯車に駆動力を伝達し、個々の印刷装置の前記転写胴は、当該個々の印刷装置の前記圧胴によって、前記転写胴に配設されている駆動歯車を介して駆動され、個々の印刷装置の前記版胴は、当該個々の印刷装置の前記転写胴によって、前記版胴に配設されている駆動歯車を介して駆動される、枚葉紙印刷機において、
印刷装置の前記版胴で印刷プレート交換が行われ、当該同一の印刷装置の前記転写胴で同時に洗浄工程が行われるとき、前記版胴は印刷プレート交換のために、前記個々の主駆動装置を介して駆動され、それに対して前記転写胴は洗浄工程のために、当該転写胴の前記駆動歯車に配設されているクラッチを介して、前記個々の主駆動装置との連結を解除され、当該転写胴に配設されている補助駆動装置を介して駆動されることを特徴とする方法。
【請求項２】
複数の印刷装置において、印刷プレート交換と同時に、前記転写胴における洗浄工程が行われるとき、前記個々の印刷装置における前記印刷プレート交換は逐次的に行われることを特徴とする請求項１に記載の方法。
【請求項３】
前記個々の印刷装置における前記印刷プレート交換は逐次的に行われ、それによってまず一つの印刷装置の版胴から、旧い印刷プレートが取り外され、続いて当該印刷装置の当該版胴に新たな印刷プレートが配置され、その後、当該プロセスは他の印刷装置において、全ての所望の印刷装置において印刷プレートが交換され、それによって前記印刷プレート交換が完遂されるまで繰り返されることを特徴とする請求項２に記載の方法。
【請求項４】
前記個々の印刷装置における前記印刷プレート交換は逐次的に行われ、それによってまず一つの印刷装置の版胴から、旧い印刷プレートが取り外され、続いて当該プロセスは他の印刷装置において、全ての所望の印刷装置において当該印刷装置の前記版胴から旧い印刷プレートが取り外されるまで繰り返され、続いて、一つの印刷装置の版胴において、新たな印刷プレートが配置され、その後、当該プロセスは他の印刷装置において、全ての所望の印刷装置において当該印刷装置の前記版胴に、新たな印刷プレートが配置され、それによって、全ての所望の印刷装置において印刷プレート交換が完遂されるまで繰り返されることを特徴とする請求項２に記載の方法。
【請求項５】
複数の印刷装置において、印刷プレート交換と同時に、前記転写胴における洗浄工程が行われるとき、前記個々の印刷装置における前記印刷プレート交換は並行して行われることを特徴とする請求項１に記載の方法。
【請求項６】
前記個々の印刷装置において前記印刷プレート交換は並行して行われ、それによって、全ての所望の印刷装置において、当該印刷装置の前記版胴は、当該版胴の駆動歯車に配設されているクラッチを介して、同一の角度位置において連結を解除され、それに続いて、同期的に連結状態に置かれ、これに続いて、全ての所望の印刷装置の前記版胴において、旧い印刷プレートが取り外されるとともに、新たな印刷プレートが配置され、その後、全ての所望の印刷装置において、当該印刷装置の前記版胴は、当該版胴の前記駆動歯車に配設されている前記クラッチを介して連結を解除され、続いて、非同期的に連結状態に置かれることを特徴とする請求項５に記載の方法。
【請求項７】
前記版胴の連結を解除するための位置、および前記版胴を連結させるための位置への移動は、前記単独の主駆動装置または個々の主駆動装置を用いて行われることを特徴とする請求項６に記載の方法。
【発明の詳細な説明】
【技術分野】
【０００１】
本発明は請求項１のおいて書き部に記載の枚葉紙印刷機の運転方法に関する。
【背景技術】
【０００２】
従来技術から、少なくとも一つの主駆動装置のほかに、印刷装置に配設されている直接駆動装置をさらに有する枚葉紙印刷機が既に知られている。当該直接駆動装置は枚葉紙印刷機の連続印刷運転時に、特に印刷装置の版胴を、独自のモータにより、かつ、主駆動装置から連結解除された状態で駆動する。直接駆動装置を有するこのような枚葉紙印刷機は、特許文献１、特許文献２、特許文献３から知られている。
【０００３】
枚葉紙印刷機が少なくとも一つの主駆動装置のほかに、印刷装置に配設されている直接駆動装置も有している場合、セットアップ時に、セットアップ時間を最小限にするために、セットアップの異なる課題が同時に実施され得る。印刷装置に直接駆動装置が設けられていない枚葉紙印刷機、すなわち、連続印刷運転時に印刷装置の全ての胴が、単独または個々の主駆動装置によって駆動される枚葉紙印刷機において、セットアップ時間を短縮するために、セットアップの異なる課題をこのように同時に実施することは、限定的にしか行われ得ない。従って直接駆動装置が設けられていない枚葉紙印刷機を運転する方法であって、当該方法によってセットアップ時間を短縮できる方法が求められている。
【先行技術文献】
【特許文献】
【０００４】
【特許文献１】欧州特許第０８１２６３６号明細書
【特許文献２】独国特許出願公開第１０２００４０３９５８８号明細書
【特許文献３】独国特許出願公開第１０２００４０３９５３６号明細書
【発明の概要】
【発明が解決しようとする課題】
【０００５】
上記の点に鑑み、本発明は枚葉紙印刷機を運転するための新規な方法を創出することを課題とする。
【課題を解決するための手段】
【０００６】
上記の課題は、請求項１に記載の方法によって解決される。本発明によれば、印刷装置の版胴において印刷プレート交換が行われ、同じ印刷装置の転写胴において同時に洗浄工程が行われる場合、版胴は印刷プレート交換のために個々の主駆動装置によって駆動される一方、転写胴は洗浄工程のために、当該転写胴の駆動歯車に配設されているクラッチを介して、個々の主駆動装置との連結を解除され、当該転写胴に配設されている補助駆動装置を介して駆動される。
【０００７】
本発明に係る方法によって、印刷装置に直接駆動装置が設けられていない枚葉紙印刷機において、印刷装置での印刷プレート交換と、個々の転写胴における洗浄工程とが同時に実施されることによって、セットアップ時間を節約することが可能となる。当該方法による限り、印刷装置に直接駆動装置が設けられていない枚葉紙印刷機においても、容易かつ廉価な方法でセットアップ時間を短縮することが可能である。
【０００８】
本発明の好適なさらなる形成は、従属請求項と以下の詳細な説明に記載されている。
【０００９】
本発明の実施の形態を、図面に基づいて以下により詳しく説明するが、本発明は当該実施の形態に限定されない。図面に示すのは以下の通りである。
【図面の簡単な説明】
【００１０】
【図１】枚葉紙印刷機を概略的に示す図である。
【図２】枚葉紙印刷機を運転するための本発明に係る方法を明らかにするために、当該枚葉紙印刷機の印刷装置を概略的に示す図である。
【図３】枚葉紙印刷機を運転するための本発明に係る代替的な方法を明らかにするために、当該枚葉紙印刷機の印刷装置を概略的に示す図である。
【発明を実施するための形態】
【００１１】
図１は給紙装置１１と、送り出し装置１２と、当該給紙装置１１と送り出し装置１２との間に配置された四つの印刷装置１３とを有する枚葉紙印刷機１０を概略的に示す図である。印刷装置１３の数は任意である。さらに、ニス引き装置と乾燥器が設けられていてもよい。
【００１２】
個々の印刷装置１３は圧胴１４と、当該圧胴に接しながら転動する転写胴１５と、当該転写胴に接しながら転動する版胴１６とを有している。個々の印刷装置１３はさらに、図に示されていないインキ装置と、好適に、同様に図に示されていない湿し装置とを有する。図１によれば、隣接する印刷装置１３の圧胴１４同士の間に、渡し胴１７が設けられており、それによって、連続的に配置されている印刷装置１３の間において、印刷すべき印刷枚葉紙を搬送する。
【００１３】
枚葉紙印刷機１０は主駆動装置１８を有しており、当該主駆動装置１８は枚葉紙印刷機１０の連続印刷運転時に、印刷装置１３の全ての胴、すなわち、全ての印刷装置１３の圧胴１４と、転写胴１５と、版胴１６とを駆動する。図２は例として印刷装置１３の一つに関して主駆動装置１８を示している。当該主駆動装置は、主駆動軸１９と、当該主駆動軸１９に支承された駆動歯車２０とを介して、圧胴１４に配設された駆動歯車２１に駆動力を伝達する。
【００１４】
上記の通り、連続印刷運転時には、転写胴１５および版胴１６も、主駆動装置１８によって駆動される。このために、図２によれば転写胴１５に対して駆動歯車２２が設けられているとともに、版胴１６に対して駆動歯車２３が設けられている。これによってすなわち、連続印刷運転時に主駆動装置１８は閉じた歯車列として、転写胴１５と版胴１６の駆動歯車２２，２３に駆動力を伝達する。
【００１５】
本発明の趣旨は、連続印刷運転時に、印刷装置１３の胴１４，１５および１６が、専ら主駆動装置１８によって駆動されるこのような枚葉紙印刷機１０に対して、印刷装置１３において簡単なやり方で、版胴１６における印刷プレート交換と、転写胴１５における洗浄工程とが同じ時、もしくは同時的に実施され得る方法を提案することである。
【００１６】
図２に示す印刷装置１３において、版胴１６で印刷プレート交換を行うと同時に、転写胴１５で洗浄工程を実施するために、本発明によれば、版胴１６は印刷プレート交換のために、主駆動装置１８によって駆動され、それに対して転写胴１５は洗浄工程のために、当該転写胴の駆動歯車２２に配設されているクラッチ２４を介して、主駆動装置１８との連結を解除され、当該転写胴１５に配設されている補助駆動装置２５を介して駆動される。従って、転写胴１５の駆動歯車２２は主駆動装置１８との連結を解除可能であり、かつ、補助駆動装置２５によって駆動可能である。版胴１６における印刷プレート交換は主駆動装置１８を用いて行われる。転写胴１５における洗浄工程のために、当該転写胴は補助駆動装置２５によって駆動され、当該転写胴の駆動歯車２２は、クラッチ２４を介して主駆動装置１８との連結を解除されている。
【００１７】
このようにして、版胴１６における印刷プレート交換と、転写胴１５における洗浄工程とを並行して実施するために、版胴１６と転写胴１５を異なる周速で駆動することが可能となる。この場合、圧胴１４のくわえ、もしくは、圧胴１４の枚葉紙ガイド手段は、圧胴１４の下方もしくは圧胴１４の外径内部に設けられており、それによって、転写胴１５に衝突することが回避される。さらにこのとき、版胴１６は転写胴１５から離間される。
【００１８】
複数の印刷装置１３において、図２に示すように、印刷プレート交換と同時に、転写胴における洗浄を行う必要があるとき、個々の印刷装置１３における印刷プレート交換は逐次的に行われる。
【００１９】
図２に示す印刷装置１３の版胴１６において、印刷プレート交換をこのように逐次的に実施することは、好適に以下のように行われる。すなわち、まず印刷装置１３のうちの一つの印刷装置の版胴１６から、旧い印刷プレートが取り外され、続いて当該印刷装置１３の版胴１６に新たな印刷プレートが配置され、その後、当該プロセスは他の印刷装置１３において、全ての所望の印刷装置１３において印刷プレートが交換され、それによって印刷プレート交換が完遂されるまで繰り返される。
【００２０】
代替的に、図２に示す個々の印刷装置１３における印刷プレート交換を以下のように逐次的に行うこともできる。すなわち、まず印刷装置１３のうちの一つの印刷装置の版胴１６から、旧い印刷プレートが取り外され、その後、当該プロセスは他の印刷装置１３において、全ての所望の印刷装置１３において、当該印刷装置の版胴１６から旧い印刷プレートが取り外されるまで繰り返され、続いて、印刷装置１３のうちの一つの印刷装置の版胴１６において、新たな印刷プレートが配置され、その後、当該プロセスは他の印刷装置１３において、全ての所望の印刷装置１３において当該印刷装置の版胴１６に、新たな印刷プレートが配置され、それによって、全ての所望の印刷装置１３において印刷プレート交換が完遂されるまで繰り返される。
【００２１】
上記の方法が必要である理由は、以下の通りである。すなわち、枚葉紙印刷機１０においては典型的に、個々の印刷装置１３の間で、印刷品質を向上させるために、版胴１６上の張り溝の位置に関して角度のずれがあることによる。
【００２２】
複数の印刷装置１３において、印刷プレート交換を上記のように逐次的に実施すると同時に、転写胴１５において洗浄を行うことに対して代替的に、複数の印刷装置１３において、印刷プレート交換を実施すると同時に転写胴１５において洗浄プロセスを実施する必要があるとき、個々の印刷装置における印刷プレート交換を並行して実施することも可能である。
【００２３】
個々の印刷装置における印刷プレート交換を並行して実施するために、版胴１６の駆動歯車２３にもクラッチ２６が配設されている（図３参照）。このとき、個々の印刷装置１３において、印刷プレート交換を並行して実施することは以下のように行われる。すなわち、まず、転写胴１５における洗浄と並行して印刷プレート交換が行われるべき全ての所望の印刷装置１３において、版胴１６は当該版胴の駆動歯車２３に配設されているクラッチ２６を介して、同じ角度位置において連結を解除され、それに続いて、連続印刷運転時に版胴１６同士の間に生じている角度のずれが同期的に解消された状態で、同期的に再び連結状態に置かれる。これに続いて、全ての所望の印刷装置１３の全ての版胴１６において、同時に旧い印刷プレートが取り外され、続いて新たな印刷プレートが配置され、その後、全ての所望の印刷装置１３において、当該印刷装置の版胴１６は、駆動歯車２３に配設されているクラッチ２６を介して連結を解除され、続いて、連続印刷運転のために必要な版胴１６間の角度のずれが再び作り出された状態で、非同期的に連結状態に置かれる。
【００２４】
版胴１６に配設されている駆動歯車２３の連結を解除するため、および当該駆動歯車を連結させるための相応の位置への移動は、枚葉紙印刷機１０の主駆動装置１８を用いて行われる。
【符号の説明】
【００２５】
１０  枚葉紙印刷機
１１  給紙装置
１２  送り出し装置
１３  印刷装置
１４  圧胴
１５  転写胴
１６  版胴
１７  渡し胴
１８  主駆動装置
１９  主駆動軸
２０  駆動歯車
２１  駆動歯車
２２  駆動歯車
２３  駆動歯車
２４  クラッチ
２５  補助駆動装置
２６  クラッチ
【図１】
2012510382.tif 000003
【図２】
2012510382.tif 000004
【図３】
2012510382.tif 000005
【国際調査報告】
2012510382.tif 000006
2012510382.tif 000007
2012510382.tif 000008
2012510382.tif 000009